(57)【特許請求の範囲】
【請求項１】
ＴＣＭ−ＩＳＤＮからのノイズ環境下におけるトランシーバトレーニングを行うディジタル加入者線伝送方法において、
シングルビットマップでイニシャライゼーションを行う場合、スライディングウィンドウのＦＥＸＴ区間のみでトレーニングを行うことを特徴とするディジタル加入者線伝送方法。
【請求項２】
ＴＣＭ−ＩＳＤＮからのノイズ環境下における電話回線をデータ通信回線として利用するＡＤＳＬ装置において、
ＡＤＳＬ装置のトレーニング時、スライディングウィンドウのＦＥＸＴ区間のみ、ＡＤＳＬ装置の信号を送出する手段を有することを特徴とするＡＤＳＬ装置。  
【発明の詳細な説明】
【０００１】
【発明の属する技術分野】
本発明は、既設の電話回線を高速データ通信回線として利用するディジタル加入者線伝送システムに関し、特に上記伝送システムに供される伝送装置の変復調方式の改良に関する。
近年、インターネット等のマルチメディア型サービスが一般家庭を含めて社会全体へと広く普及してきており、このようなサービスを利用するための経済的で信頼性の高いディジタル加入者線伝送システムの早期提供が強く求められている。
【０００２】
【従来の技術】
［１］ＡＤＳＬ技術の説明
既設の電話回線を高速データ通信回線として利用するディジタル加入者線伝送システムを提供する技術としては、ｘＤＳＬ（Ｄｉｇｉｔａｌ  Ｓｕｂｓｃｒｉｂｅｒ  Ｌｉｎｅ）が知られている。ｘＤＳＬは電話回線を利用した伝送方式で、かつ、変復調技術の一つである。このｘＤＳＬは、大きく分けて加入者宅（以下、加入者側と呼ぶ。）から収容局（以下、局側と呼ぶ）への上り伝送速度と、局側から加入者側への下り伝送速度が対称のものと、非対称のものに分けられる。
【０００３】
非対称型のｘＤＳＬにはＡＤＳＬ（Ａｓｙｍｍｅｔｒｉｃ  ＤＳＬ）  があり、下り伝送速度が６Ｍビット／秒程度のＧ．ＤＭＴと１．５Ｍビット／秒程度のＧ．ｌｉｔｅがあるが、どちらも変調方式としてＤＭＴ（Ｄｉｓｃｒｅｔｅ  Ｍｕｌｔｉｐｌｅ  Ｔｏｎｅ）  変調方式を採用している。
［２］ＤＭＴ変調方式の説明
ＤＭＴ変調方式をＧ．ｌｉｔｅを例にとり、図１１を用いて説明する。また、本説明および説明図は局から加入者への下り方向の変復調についてのみ記す。
【０００４】
まず、装置に送信データが入力されＳｅｒｉａｌ  ｔｏ  Ｐａｒａｌｌｅｌ  Ｂｕｆｆｅｒ  １０に１シンボル時間（１／４ｋＨｚ）分ストアされる。ストアされたデータは送信ビットマップ６０（後述）で前もって決められたキャリア当たりの伝送ビット数毎に分割して、Ｅｎｃｏｄｅｒ  ２０に出力する。Ｅｎｃｏｄｅｒ  ２０では入力されたビット列をそれぞれ直交振幅変調するための信号点に変換してＩＦＦＴ３０に出力する。ＩＦＦＴ３０は逆高速フーリエ変換を行うことでそれぞれの信号点について直交振幅変調を行い、Ｐａｒａｌｌｅｌ  ｔｏ  Ｓｅｒｉａｌ  Ｂｕｆｆｅｒ  ４０に出力する。ここで、ＩＦＦＴ出力の２４０〜２５５ポイントの１６ポイントをＣｙｃｌｉｃ  Ｐｒｅｆｉｘ  としてＤＭＴシンボルの先頭に加える。Ｐａｒａｌｌｅｌ  ｔｏ  Ｓｅｒｉａｌ  Ｂｕｆｆｅｒ  ４０からＤ／Ａ  Ｃｏｎｖｅｒｔｅｒ  ５０へ１．１０４ＭＨｚのサンプリング周波数でアナログ信号に変換され、メタリック回線１００を経由して加入者側に伝送される。
【０００５】
加入者側では、Ａ／Ｄ  Ｃｏｎｖｅｒｔｅｒ  １１０により、１．１０４ＭＨｚのディジタル信号に変換され、Ｓｅｒｉａｌ  ｔｏ  Ｐａｒａｌｌｅｌ  Ｂｕｆｆｅｒ  １２０に１ＤＭＴシンボル分ストアされる。同ＢｕｆｆｅｒでＣｙｃｌｉｃ  Ｐｒｅｆｉｘ  が除去され、ＦＦＴ  １３０に出力される。ＦＦＴ  １３０では高速フーリエ変換を行い、信号点を発生（復調）する。復調した信号点はＤｅｃｏｄｅｒ  １４０により送信ビットマップ６０と同じ値を保持している受信ビットマップ１６０に従ってデコードする。デコードしたデータはＰａｒａｌｌｅｌ  ｔｏ  Ｓｅｌｉａｌ  Ｂｕｆｆｅｒ  １５０にストアされ、ビット列として受信データとなる。
［３］ビットマップの詳細説明
ＤＭＴ変調方式で記したビットマップについて、図１２を用いて、より詳細に説明する。
【０００６】
局側の装置と加入者側の装置は、通信を行うためのトレーニング時に回線の変調信号とノイズの比（以下、Ｓ／Ｎと呼ぶ。）を測定し、各変調キャリアで伝送するビット数を決定する。図１２に示すように、Ｓ／Ｎが大きいキャリアでは伝送ビット数を多く割り当て、Ｓ／Ｎが小さいところでは伝送ビット数を少なく割り当てる。
【０００７】
これにより、受信側では測定したＳ／Ｎから、キャリア番号に対応した伝送ビット数を示すビットマップが作成される。
受信側ではこのビットマップをトレーニング中に送信側に通知することで、定常のデータ通信時に送受信側とも同じビットマップを用いて変復調を行うことが可能となる。
［４］ＩＳＤＮピンポン伝送からの漏話対策
ＩＳＤＮピンポン伝送からの漏話（以下、ＴＣＭ  Ｃｒｏｓｓ−ｔａｌｋと呼ぶ。）がある場合に、ＡＤＳＬでは前述のビットマップを２個使用することで伝送特性を向上しようとしていた。このビットマップを２個使用する方法を図１３を用いて説明する。
【０００８】
ＩＳＤＮピンポン伝送では、図１３に示す４００Ｈｚに同期して、局側が４００Ｈｚの前半のサイクルで下りデータを送信し、加入者側は下りデータ受信後、上りデータを送信する。このため、局側のＡＤＳＬでは４００Ｈｚの前半のサイクルでＩＳＤＮからの近端漏話（以下、ＮＥＸＴと呼ぶ。）の影響を受け、後半のサイクルで加入者側ＩＳＤＮの上りデータからの遠端漏話（以下、ＦＥＸＴと呼ぶ。）の影響を受ける。
【０００９】
加入者側ＡＤＳＬでは、局側とは逆に４００Ｈｚの前半でＦＥＸＴの影響を受け、後半のサイクルでＮＥＸＴの影響を受ける。
局と加入者の間のメタリックケーブルが長くなると、受信信号とＮＥＸＴとのＳ／Ｎが小さくなり、場合によっては受信信号よりもＮＥＸＴのほうが大きくなる。
【００１０】
この場合でもＦＥＸＴの影響はあまりないことから、従来はＮＥＸＴ区間受信用のビットマップ（ＤＭＴシンボルＡ）と、ＦＥＸＴ区間受信用のビットマップ（ＤＭＴシンボルＢ）を２個用意して、ＮＥＸＴ区間では伝送ビット数を小さくして、Ｓ／Ｎ耐力を向上し、ＦＥＸＴ区間で伝送ビット数を大きくして、伝送容量を大きくする手法を採っていた。
【００１１】
また、このとき、４００ＨｚのＴＣＭ  Ｃｒｏｓｓ−ｔａｌｋの周期に合わせるため、本来なら１６ポイントのＣｙｃｌｉｃ  Ｐｒｅｆｉｘ  で１ＤＭＴシンボル当たり２４６μＳであるのに対し、Ｃｙｃｌｉｃ  Ｐｒｅｆｉｘ  を２０ポイントとして、１ＤＭＴシンボル当たり２５０μＳとし、ＴＣＭ  Ｃｒｏｓｓ−ｔａｌｋの１周期とＤＭＴシンボル１０個分の時間を合わせてＴＣＭ  Ｃｒｏｓｓ−ｔａｌｋに同期していた。
［５］  ＦＥＸＴ  およびＮＥＸＴ
図１にＡＤＳＬがＴＣＭ−ＩＳＤＮから受けるクロストークについてのタイミングチャートを示す。
【００１２】
ＴＣＭ−ＩＳＤＮは４００  ［Ｈｚ］の周波数で動作し、その周期は２．５  ［ｍｓ］である。ＴＣＭ−ＩＳＤＮ１周期のうち、前半の半周期はＣＯ側が送信し、後半の半周期はＲＴ側が送信する。したがって、ＴＣＭ−ＩＳＤＮ１周期のうち、前半の半周期において、局側ＡＤＳＬ装置（ＡＴＵ−Ｃ）  はＴＣＭ−ＩＳＤＮから近端漏話（以下、ＮＥＸＴ  ：  ｎｅａｒ  ｅｎｄ  ｃｒｏｓｓ−ｔａｌｋ）  の影響を受け、後半の半周期において、ＴＣＭ−ＩＳＤＮから遠端漏話（  以下、ＦＥＸＴ  ：  ｆａｒ  ｅｎｄ  ｃｒｏｓｓ−ｔａｌｋ）の影響を受ける。一方では、ＴＣＭ−ＩＳＤＮ１周期のうち、前半の半周期において、加入者側ＡＤＳＬ装置（ＡＴＵ−Ｒ）  はＴＣＭ−ＩＳＤＮからＦＥＸＴの影響を受け、後半の半周期において、ＴＣＭ−ＩＳＤＮからＮＥＸＴの影響を受ける。本明細書では、このようなＮＥＸＴ，  ＦＥＸＴの影響を受ける時間領域をそれぞれＮＥＸＴ区間，  ＦＥＸＴ区間と呼ぶ。
【００１３】
局側ＡＤＳＬ装置（ＡＴＵ−Ｃ）  は加入者側ＡＤＳＬ装置（ＡＴＵ−Ｒ）  におけるＦＥＸＴ区間およびＮＥＸＴ区間を推定（ｄｅｆｉｎｅ）することができる。また、加入者側ＡＤＳＬ装置（ＡＴＵ−Ｒ）  も同様に局側ＡＤＳＬ装置（ＡＴＵ−Ｃ）  におけるＦＥＸＴ区間およびＮＥＸＴ区間を推定することができる。そして、それぞれの区間を以下のように定義する。
ＦＥＸＴＲ  ：  ＡＴＵ−Ｃ  が推定したＡＴＵ−Ｒ  におけるＦＥＸＴ区間
ＮＥＸＴＲ  ：  ＡＴＵ−Ｃ  が推定したＡＴＵ−Ｒ  におけるＮＥＸＴ区間
ＦＥＸＴＣ  ：  ＡＴＵ−Ｒ  が推定したＡＴＵ−Ｃ  におけるＦＥＸＴ区間
ＮＥＸＴＣ  ：  ＡＴＵ−Ｒ  が推定したＡＴＵ−Ｃ  におけるＮＥＸＴ区間
なお、上記定義には伝送遅延も考慮されている。
［６］スライディング・ウインドウ
上記したようなＴＣＭ−ＩＳＤＮからのクロストーク環境のもとで、ＡＤＳＬ信号を良好に伝送し得るディジタル加入者線伝送システムを提供することを目的に、本出願人は先に特願平１０−１４４９１３号によって「スライディング・ウィンドウ」の導入を提案した。
【００１４】
上記特願平１０−１４４９１３号によれば、局側ＡＤＳＬ装置（ＡＴＵ−Ｃ）  から加入者側ＡＤＳＬ装置（ＡＴＵ−Ｒ）  へとＡＤＳＬ信号を送信する下り方向の場合、ＴＣＭ−ＩＳＤＮからのクロストーク環境のもとで局側ＡＤＳＬ装置（ＡＴＵ−Ｃ）  が送信するＡＤＳＬ信号の状態を以下のように定めるものである。
すなわち、図２に示すように、送信シンボルが完全にＦＥＸＴＲ  区間内に含まれる場合、スライディング・ウインドウにより、局側ＡＤＳＬ装置（ＡＴＵ−Ｃ）  はそのシンボルをインサイド・シンボルとして送信する。また、送信シンボルが一部でもＮＥＸＴＲ  区間に含まれる場合、局側ＡＤＳＬ装置（ＡＴＵ−Ｃ）  はそのシンボルをアウトサイド・シンボルとして送信する。
【００１５】
また、局側ＡＤＳＬ装置（ＡＴＵ−Ｃ）  はＦＥＸＴＲ  区間用ビットマップであるビットマップＡを用いてインサイド・シンボルを送信し、ＮＥＸＴＲ  区間用ビットマップであるビットマップＢを用いてアウトサイド・シンボルを送信する（Ｄｕａｌ  Ｂｉｔｍａｐ  ）。
下りと同様に、上りにおいて、加入者側ＡＤＳＬ装置（ＡＴＵ−Ｒ）  はＦＥＸＴＣ  区間用ビットマップであるビットマップＡを用いてインサイド・シンボルを送信し、ＮＥＸＴＣ  区間用ビットマップであるビットマップＢを用いてアウトサイド・シンボルを送信する。
【００１６】
ここで、局側ＡＤＳＬ装置（ＡＴＵ−Ｃ）  はビットマップＢを用いない場合がある（Ｓｉｎｇｌｅ  Ｂｉｔｍａｐ  ）。このとき、局側ＡＤＳＬ装置（ＡＴＵ−Ｃ）  はスライディング・ウインドウの外側において、パイロット・トーンのみを送信する。同様に加入者側ＡＤＳＬ装置（ＡＴＵ−Ｒ）  もビットマップＢを用いない場合があり、加入者側ＡＤＳＬ装置（ＡＴＵ−Ｒ）  はスライディング・ウインドウの外側では何も送信しない。
【００１７】
【発明が解決しようとする課題】
以上説明したように、ＴＣＭ−ＩＳＤＮからのノイズ環境下における有効なＡＤＳＬの伝送技術については、例えば本出願人によってなされた上記特願平１０−１４４９１３号によって提供されるものであるが、このような伝送技術を採用するに当たってのＡＤＳＬトランシーバにおける具体的なトレーニング方法、あるいはそのようなトレーニング方法を実施する手段といった点については、未だ検討の余地が残されている。
【００１８】
本発明は、上記のような点についての新たな知見と考察に基づいてなされたものであり、ＴＣＭ−ＩＳＤＮからのノイズ環境下におけるＡＤＳＬ信号の有効な伝送技術を採用するに当たっての、ＡＤＳＬトランシーバにおける具体的なトレーニング方法、あるいはそのようなトレーニング方法を実施する手段を備えたディジタル加入者線伝送システム及びこれに用いられる通信装置を提供することを目的とするものである。
【００１９】
【課題を解決するための手段】
本発明の第１の側面によれば、電話回線を伝送路とするディジタル加入者線伝送システムにおいて、トランシーバ・トレーニング（Ｔｒａｎｓｃｅｉｖｅｒ  ｔｒａｉｎｉｎｇ）、エクスチェンジ（Ｅｘｃｈａｎｇｅ）、Ｃメドレ（Ｃ−ＭＥＤＬＥＹ）、及びＲメドレ（Ｒ−ＭＥＤＬＥＹ）を除いたチャネルアナリシス（Ｃｈａｎｎｅｌ  ａｎａｌｙｓｉｓ）を行う場合は、シングルビットマップ（Ｓｉｎｇｌｅ  Ｂｉｔｍａｐ）  でイニシャライゼーションを行い、Ｃメドレ（Ｃ−ＭＥＤＬＥＹ）及びＲメドレ（Ｒ−ＭＥＤＬＥＹ）のみの前記チャネルアナリシスを行う場合、デュアルビットマップ（Ｄｕａｌ  Ｂｉｔｍａｐ）  時はインサイド・シンボル、アウトサイド・シンボルの両方で、シングルビットマップ（Ｓｉｎｇｌｅ  Ｂｉｔｍａｐ）  時はインサイド・シンボルのみで回線品質の調査を行うトレーニング手段を有したことを特徴とするディジタル加入者線伝送システムが提供される。
【００２０】
一方、本発明の第２の側面によれば、局側の装置（ＡＴＵ−Ｃ）と加入者側の装置（ＡＴＵ−Ｒ）間で通信を行うためのトレーニング後、回線のＳ／Ｎの測定を行うＡＤＳＬトランシーバにおいて、前記回線のＳ／Ｎの測定を行う期間に含まれるＡＴＵ−ＣのＣ−ＭＥＤＬＥＹおよびＡＴＵ−ＲのＲ−ＭＥＤＬＥＹ期間に、デュアルビットマップ（Ｄｕａｌ  Ｂｉｔｍａｐ）でイニシャライゼーションを行う場合、インサイド・シンボル，アウトサイド・シンボルの両方で、シングルビットマップ（Ｓｉｎｇｌｅ  Ｂｉｔｍａｐ）  でイニシャライゼーションを行う場合、インサイド・シンボルのみで回線のＳ／Ｎの測定を行うトレーニング手段を提供される。
【００２１】
また、本発明の第３の側面によれば、局側ＡＤＳＬ装置（ＡＴＵ−Ｃ）と加入者側ＡＤＳＬ装置（ＡＴＵ−Ｒ）間で通信を行うためのトレーニング後、回線のＳ／Ｎの測定を行うチャンネルアナリシス方法において、前記チャンネルアナリシス期間に含まれるＡＴＵ−ＣのＣ−ＭＥＤＬＥＹおよびＡＴＵ−ＲのＲ−ＭＥＤＬＥＹ期間に、デュアルビットマップ（Ｄｕａｌ  Ｂｉｔｍａｐ）でイニシャライゼーションを行う場合、インサイド・シンボル，アウトサイド・シンボルの両方で、シングルビットマップ（Ｓｉｎｇｌｅ  Ｂｉｔｍａｐ）  でイニシャライゼーションを行う場合、インサイド・シンボルのみで回線のＳ／Ｎの測定を行うものを提供する。
【００２２】
本発明の第４の側面によれば、ＴＣＭ−ＩＳＤＮからのノイズ環境下におけるトランシーバトレーニングを行うディジタル加入者線伝送方法において、
シングルビットマップでイニシャライゼーションを行う場合、ＴＥＱ，ＦＥＱ，ＡＧＣ，タイミング再生，フレーム同期のトレーニングをＦＥＸＴ区間のみで行うことを特徴とする。
【００２３】
また、本発明の第５の側面によれば、ＴＣＭ−ＩＳＤＮからのノイズ環境下における電話回線を高速データ通信回線として利用するＡＤＳＬ装置において、
ＡＤＳＬ装置のトレーニング時、上り、下りともＴＣＭ−ＩＳＤＮへの影響を考慮し、ＴＣＭ−ＩＳＤＮへのＮＥＸＴノイズとならない区間にのみ、ＡＤＳＬ装置の信号を送出する手段を有することを特徴とする。
【００３１】
【発明の実施の形態】
以下、図面を参照しながら本発明の一実施態様を詳述する。
［１］イニシャライゼーション
図３にＡＤＳＬトランシーバのイニシャライゼーションにおけるタイミングチャートの概要を示す。ＡＤＳＬのトレーニング時では、上り、下りともＴＣＭ−ＩＳＤＮへの影響を考慮し、ＴＣＭ−ＩＳＤＮへのＮＥＸＴノイズとならない区間にのみ、ＡＤＳＬの信号を送出することが重要となる。そのため、図３に示されているように、トランシーバ・トレーニング（Ｔｒａｎｓｃｅｉｖｅｒ  ｔｒａｉｎｉｎｇ）およびエクスチェンジ（Ｅｘｃｈａｎｇｅ）ではシングルビットマップ（Ｓｉｎｇｌｅ  Ｂｉｔｍａｐ）  でイニシャライゼーションを行う。チャネル・アナリシス（Ｃｈａｎｎｅｌ  ａｎａｌｙｓｉｓ）についてもＣ  メドレ（Ｃ−ＭＥＤＬＥＹ）およびＲ  メドレ（Ｒ−ＭＥＤＬＥＹ）以外のシーケンスにおいては、シングルビットマップ（Ｓｉｎｇｌｅ  Ｂｉｔｍａｐ）  でイニシャライゼーションを行うが、Ｃ  メドレ（Ｃ−ＭＥＤＬＥＹ）およびＲ  メドレ（Ｒ−ＭＥＤＬＥＹ）のみにおいては、デュアルビットマップ（Ｄｕａｌ  Ｂｉｔｍａｐ）  時はインサイド・シンボル、アウトサイド・シンボルの両方で、シングルビットマップ（Ｓｉｎｇｌｅ  Ｂｉｔｍａｐ）  時はインサイド・シンボルのみで回線品質の調査（Ｓ／Ｎ  の測定）を行う。
［２］イニシャライズカウンタ
図４に本発明のイニシャライズカウンタの実施態様を示す。
【００３２】
ＡＤＳＬでは局側ＡＤＳＬ装置（ＡＴＵ−Ｃ）  、加入者側ＡＤＳＬ装置（ＡＴＵ−Ｒ）  それぞれ独立したカウンタを持つ。ハイパーフレームカウンタ（５０１）  はＤＭＴシンボルクロック（５１９）  を連続して所定回数（  例えば３４５  回）  カウントすることでＤＭＴ  シンボルの数をカウントする機能を持ち、そのカウンタ値を用いてスライディングウィンドウＤＥＣ（５０３）によりスライディング・ウィンドウのＦＥＸＴＲ  、ＮＥＸＴＲ  、ＦＥＸＴＣ  、ＮＥＸＴＣ  の区間の特定を行う（５２３）  。
【００３３】
また局側ＡＤＳＬ装置（ＡＴＵ−Ｃ）  ではＣ−ＲＥＶＥＩＬＬＥ、Ｃ−ＲＡＴＥＳ１の開始を、加入者側ＡＤＳＬ装置（ＡＴＵ−Ｒ）  ではＲ−ＲＥＢＥＲＢ３  の開始を４００Ｈｚ  の位相に合わせるため、４００Ｈｚ  信号（５１７）  をシーケンスの遷移条件とすること（５０７）  と、そのときにハイパーフレームカウンタ（５０１）  をクリアすることで、これを実現する。シンボル数カウンタ（５０５）  は、ＤＭＴ  シンボルクロック（５１９）  をカウントすることでＤＭＴ  シンボルの数をカウントし、カウント値ＤＥＣ（５１３）の値と一致したこと（５０９）  をシーケンスの遷移条件とすること（５０７）  とで各イニシャライズ信号の長さを決定する。また外部からの受信信号検出信号やＣＲＣ  演算結果などのシーケンス遷移情報（５２１）  を遷移条件論理（５０７）  とし、シーケンスカウンタ（５１１）  のイネーブル信号とすることで、シーケンスカウンタ（５１１）  のカウント値がイニシャライズシーケンスの状態を表すコード値となり、シーケンスカウンタ（５１１）  のカウント値を用いてイニシャライズＤＥＣ  により、送信するイニシャライズ信号（Ｃ−ＲＥＶＥＩＬＬＥ  、Ｃ−ＰＩＬＯＴ１、Ｃ−ＲＥＶＥＲＢ１  など）  を決定するイニシャライズ情報（５２５）  を作成する。
【００３４】
この方法はハードでの実現を意識したものであるが、ソフトにおいても同様な構成で実現できる。
また、Ｃ−ＰＩＬＯＴ１において、ＴＣＭ−ＩＳＤＮ４００  ［Ｈｚ］の位相を局側ＡＤＳＬ装置（ＡＴＵ−Ｃ）  から加入者側ＡＤＳＬ装置（ＡＴＵ−Ｒ）  に通知し、加入者側ＡＤＳＬ装置（ＡＴＵ−Ｒ）  ではこれを検出し４００Ｈｚ  信号（５１７）  とする。この方法の詳細は後述するが、これにより、加入者側ＡＤＳＬ装置（ＡＴＵ−Ｒ）  においてＴＣＭ−ＩＳＤＮ等の周期的なクロストーク検出が可能になる。
［３］トランシーバトレーニング（Ｔｒａｎｓｃｅｉｖｅｒ  ｔｒａｉｎｉｎｇ）
トランシーバトレーニング（Ｔｒａｎｓｃｅｉｖｅｒ  ｔｒａｉｎｉｎｇ）にはＴＥＱ，  ＦＥＱ，  ＡＧＣ，タイミング再生，  フレーム同期のトレーニングシーケンスが含まれている。これらについては、ＡＤＳＬトランシーバが例えばシンクロナイゼーションシンボル（Ｓ）  といった疑似確率信号を繰り返し送出しているときにのみ、トレーニングが行われる。一方、トランシーバトレーニング（Ｔｒａｎｓｃｅｉｖｅｒ  ｔｒａｉｎｉｎｇ）ではシングルビットマップ（Ｓｉｎｇｌｅ  Ｂｉｔｍａｐ）  でイニシャライゼーションを行うため、これらのトレーニングは必然的にＦＥＸＴ区間のみで行われることになる。
【００３５】
ただし、トランシーバトレーニング（Ｔｒａｎｓｃｅｉｖｅｒ  ｔｒａｉｎｉｎｇ）において、デュアルビットマップ（Ｄｕａｌ  Ｂｉｔｍａｐ）  でイニシャライゼーションを行うことがあれば、ＦＥＸＴ区間でのみトレーニングを行うこともある。
ＴＥＱ  およびＦＥＱ  トレーニングにおいては、ＦＥＸＴ区間およびＮＥＸＴ区間を問わず、連続してトレーニングを行うことも可能である。このとき、ＮＥＸＴ区間においては、ＴＥＱ  およびＦＥＱ  の係数更新用ステップサイズを０  、または非常に小さい値にする。
［４］Ｉｎｖｅｒｓｅ  Ｓｙｎｃｈｒｏｎｉｚａｔｉｏｎ  Ｓｙｍｂｏｌ
図８、９に示すように、１つのハイパー・フレーム中に１つの  インバースシンクロナイゼーションシンボル（Ｉ）があるが、各トレーニングおいては、同期速度向上のため、この  インバースシンクロナイゼーションシンボル（Ｉ）も以下のようにしてシンクロナイゼーションシンボル（Ｓ）  と併せて使用する。
【００３６】
受信側で  インバースシンクロナイゼーションシンボル（Ｉ）が受信されたら、図１２に示されているＦＦＴ（１３０）の後でパイロット・トーンを除く各キャリアの位相を１８０  度回転させる。これにより、シンクロナイゼーションシンボル（Ｓ）  を受信したときと同じ状態し、その後、受信側で生成した  シンクロナイゼーションシンボル（Ｓ）  を用いてトレーニングを行う。
フレーム同期のための位相検出においては、シンクロナイゼーションシンボル（Ｓ）  を用いて位相検出を行った場合、次の  インバースシンクロナイゼーションシンボル（Ｉ）で確認を行う。また、インバースシンクロナイゼーションシンボルル（Ｉ）  を用いて位相検出を行った場合、次の  シンクロナイゼーションシンボル（Ｓ）で確認を行う。
［５］ＴＣＭ−ＩＳＤＮ  ４００  ［Ｈｚ］  の位相を局側ＡＤＳＬ装置（ＡＴＵ−Ｃ）  から加入者側ＡＤＳＬ装置（ＡＴＵ−Ｒ）  に通知する方法
以下にＴＣＭ−ＩＳＤＮ  ４００  ［Ｈｚ］  の位相を局側ＡＤＳＬ装置（ＡＴＵ−Ｃ）  から加入者側ＡＤＳＬ装置（ＡＴＵ−Ｒ）  に通知する方法の詳細を示す。
【００３７】
Ｃ−ＰＩＬＯＴ１ではパイロット・トーンの他に、ＴＣＭ−ＩＳＤＮからのクロストークの少ない周波数帯に属する７４番目（３１９．１２５  ｋＨｚ）  のキャリアを送信する。局側ＡＤＳＬ装置（ＡＴＵ−Ｃ）  から加入者側ＡＤＳＬ装置（ＡＴＵ−Ｒ）  にＴＣＭ−ＩＳＤＮ  ４００  ［Ｈｚ］  の位相の通知を、この７４番目のキャリアで２ビットを使用して以下のように行う。なお、この様子は図１０に示されている。
【００３８】
【表１】
0003622510.tif 000002
加入者側ＡＤＳＬ装置（ＡＴＵ−Ｒ）  は、局側ＡＤＳＬ装置（ＡＴＵ−Ｃ）  から送信された７４番目のキャリアを受信し、以下の２種類の方法により、ＴＣＭ−ＩＳＤＮ  ４００  ［Ｈｚ］  の位相を認識する。
（１）ＦＦＴ  を行うことで、ＴＣＭ−ＩＳＤＮ  ４００  ［Ｈｚ］  の位相を認識する方法
加入者側ＡＤＳＬ装置（ＡＴＵ−Ｒ）  では、７４番目のキャリアを受信してから、図１２に示されているＦＦＴ（１３０）を実行する。そして、そのＦＦＴ  出力の位相により、ＦＥＸＴＲ  区間あるいはＮＥＸＴＲ  区間を認識する。そして、その情報を用いてＴＣＭ−ＩＳＤＮ  ４００  ［Ｈｚ］  の位相を認識する。
【００３９】
しかし、この方法では２５６  ポイントごとの比較的粗い精度のみでしか加入者側ＡＤＳＬ装置（ＡＴＵ−Ｒ）  はＴＣＭ−ＩＳＤＮ  ４００  ［Ｈｚ］  の位相を認識することができない。そこで、より良い精度を得るためには次の方法が有効である。
（２）ＱＰＳＫ復調を行うことで、ＴＣＭ−ＩＳＤＮ  ４００  ［Ｈｚ］  の位相を認識する方法
加入者側ＡＤＳＬ装置（ＡＴＵ−Ｒ）  では、７４番目のキャリアを受信してから、図５に示すようにＱＰＳＫ復調を行う。そして、その結果により、ＦＥＸＴＲ  区間あるいはＮＥＸＴＲ  区間を認識する。そして、その情報を用いてＴＣＭ−ＩＳＤＮ  ４００  ［Ｈｚ］  の位相を認識する。
【００４０】
本方式では、１  ポイントごとの高い精度で加入者側ＡＤＳＬ装置（ＡＴＵ−Ｒ）  はＴＣＭ−ＩＳＤＮ  ４００  ［Ｈｚ］  の位相を認識することが可能となる。
［６］ＴＣＭ−ＩＳＤＮ  ４００  ［Ｈｚ］  ｂｕｒｓｔ  ｃｌｏｃｋ  のＰＬＬ  構成法
図６にＡＴＵ−Ｃ  送信器リファレンスモデルを示す。図６に示されているように、局側ＡＤＳＬ装置（ＡＴＵ−Ｃ）  装置には外部からＮＴＲ  （Ｎｅｔｗｏｒｋ  Ｔｉｍｉｎｇ  Ｒｅｆｅｒｅｎｃｅ）と呼ばれる８  ［ｋＨｚ］  の信号が常に入力される。また、ＴＣＭ−ＩＳＤＮ  ４００  ［Ｈｚ］  の信号も外部から入力される場合がある。ＴＣＭ−ＩＳＤＮ  ４００  ［Ｈｚ］  の信号は、外部から入力されずに局側ＡＤＳＬ装置（ＡＴＵ−Ｃ）  装置内部で生成される場合もある（例えば、特願平１０−１１５２２３号を参照のこと）。このとき、ＴＣＭ−ＩＳＤＮ  ４００  ［Ｈｚ］  とＮＴＲ  ８  ［ｋＨｚ］  は、周波数同期が取れている。
【００４１】
図７に示す局側ＡＤＳＬ装置（ＡＴＵ−Ｃ）  装置において、装置内で４００  ［Ｈｚ］を認識するために、外部からＴＣＭ−ＩＳＤＮ  ４００  ［Ｈｚ］（７０２）が入力された場合、そのＴＣＭ−ＩＳＤＮ  ４００  ［Ｈｚ］  を局側ＡＤＳＬ装置（ＡＴＵ−Ｃ）  内部の発振器（ＶＣＸＯ）（７０４）  に入力して、ＡＰＬＬ（７０３）  で同期をとるのではなく、外部からのＮＴＲ  ８  ［ｋＨｚ］（７０１）信号（ＴＣＭ−ＩＳＤＮ  ４００  ［Ｈｚ］  とＮＴＲ  ８  ［ｋＨｚ］  は、周波数同期が取れている）をＶＣＸＯに入力して局側ＡＤＳＬ装置（ＡＴＵ−Ｃ）  の発振周波数（７０４）  と同期を取り、それを分周した４００  ［Ｈｚ］  （７０９）を生成することを特徴とする。
【００４２】
まず、通常は、局側ＡＤＳＬ装置（ＡＴＵ−Ｃ）  内部のＰＬＬ  にＴＣＭ−ＩＳＤＮ  ４００  ［Ｈｚ］  （７０２）  を入力し、そのＴＣＭ−ＩＳＤＮ  ４００  ［Ｈｚ］  と内部のＶＣＸＯ（７０４）  の周波数と同期をとる。通常局側ＡＤＳＬ装置（ＡＴＵ−Ｃ）  のＶＣＸＯの発振周波数は、１７．６６４  ［ＭＨｚ］程度であり、その場合は、ＴＣＭ−ＩＳＤＮ  ４００  ［Ｈｚ］  との同期をかける場合は、４４１６０（１７．６６４Ｍ／４００）に１回の位相比較情報により、ＰＬＬ  同期動作を行うこととなる。通常、位相比較回数が多いほど、位相ジッターや、周波数誤差は、小さくなる。しかし、１７．６６４  ［ＭＨｚ］のクロックにおいて、４４１６０  回に１回の位相比較では、通常位相ジッターや周波数誤差が非常に大きくなる。
【００４３】
これを避けるため、ＴＣＭ−ＩＳＤＮ  ４００  ［Ｈｚ］  に同期したＮＴＲ  ８  ［ｋＨｚ］  （７０１）  が局側ＡＤＳＬ装置（ＡＴＵ−Ｃ）  には必ず外部から供給されているので、このＮＴＲ  ８  ［ｋＨｚ］  により局側ＡＤＳＬ装置（ＡＴＵ−Ｃ）  内部のＶＣＸＯをＰＬＬ  同期動作を行えば、位相比較回数がＴＣＭ−ＩＳＤＮ  ４００  ［Ｈｚ］  の時より２０倍増加し、２２０８に１回の位相比較情報が得られ、位相ジッターや周波数誤差が低減可能となる。
【００４４】
なお、上記の態様は本発明を実施するに当たっての一態様に過ぎず、他に幾多の変形が考慮されるが、いずれの場合においても本発明の効果が変わらないことは言うまでもない。
【００４５】
【発明の効果】
以上詳述したように、本発明によれば、ＴＣＭ−ＩＳＤＮからのノイズ環境下におけるＡＤＳＬ信号の有効な伝送技術を採用するに当たっての、ＡＤＳＬトランシーバにおける具体的なトレーニング方法、あるいはそのようなトレーニング方法を実施する手段を備えたディジタル加入者線伝送システム及びこれに用いられる通信装置が提供されるものである。
【図面の簡単な説明】
【図１】ＴＣＭ−ＩＳＤＮクロストークのタイミングチャートである。
【図２】スライディング・ウィンドウを示す図である。
【図３】イニシャライゼーションにおけるタイミングチャートの概要を示す図である。
【図４】本発明のイニシャライズカウンタの実施態様を示す図である。
【図５】ＱＰＳＫ復調を示す図である。
【図６】ＡＴＵ−Ｃ送信機リファレンスモデルを示す図である。
【図７】ＡＴＵ−Ｃタイミング再生アルゴリズムを示す図である。
【図８】ＳＷＢ方式の局側伝送パターンを示す図である。
【図９】ＳＷＢ方式の加入者側伝送パターンを示す図である。
【図１０】ＤＭＴシンボル毎の送信パターンを示す図である。
【図１１】ビットマップを２個使用する場合のＳＷＢ方式を示す図である。
【図１２】ＤＭＴ変調方式による加入者伝送システムの機能ブロックを示す図である。
【図１３】ビットマップの定義を示す図である。
【図１４】従来例を示す図である。
【符号の説明】
５０１  …  ハイパーフレームカウンタ
５０３  …  スライディングウィンドウＤＥＣ
５０５  …  シンボル数カウンタ
５０７  …  遷移条件論理
５１１  …  シーケンスカウンタ
５１７  …  ４００Ｈｚ  信号
５１９  …  ＤＭＴシンボルクロック
５２１  …  シーケンス遷移情報
５２５  …  イニシャライズ情報
【図１】
0003622510.tif 000003
【図２】
0003622510.tif 000004
【図３】
0003622510.tif 000005
【図４】
0003622510.tif 000006
【図５】
0003622510.tif 000007
【図６】
0003622510.tif 000008
【図７】
0003622510.tif 000009
【図８】
0003622510.tif 000010
【図９】
0003622510.tif 000011
【図１０】
0003622510.tif 000012
【図１１】
0003622510.tif 000013
【図１２】
0003622510.tif 000014
【図１３】
0003622510.tif 000015
【図１４】
0003622510.tif 000016